【手続補正書】
【提出日】平成26年9月11日(2014.9.11)
【手続補正１】
【補正対象書類名】特許請求の範囲
【補正対象項目名】全文
【補正方法】変更
【補正の内容】
【特許請求の範囲】
【請求項１】
注入口および放出口を有するポンプ室と、
インクを格納するように構成された容器であって、流体が流れるように上記ポンプ室の上記注入口に接続された放出口を有する、上記容器と、
インクと接するため、および、上記ポンプ室の上記注入口から上記ポンプ室の上記放出口にインクを移動させるために、上記ポンプ室に位置付けられた第１部分、および、上記ポンプ室の外側に位置付けられた第２部分を有する可動部材と、
上記ポンプ室の上記注入口と上記容器との間に効果的に接続され、上記容器から上記注入口を介して上記ポンプ室にインクを流すことができるように構成され、上記ポンプ室から上記インク容器へのインクの流れを妨げるように構成された、第１一方向弁と、
上記ポンプ室と上記容器との間に効果的に接続され、上記ポンプ室から上記容器にインクを流すことができるように構成され、上記インク容器から上記ポンプ室へのインクの流れを妨げるように構成された、第２一方向弁と、および、
上記ポンプ室の外側に位置付けられた上記可動部材の部分の周りに構成された、溝であって、上記溝は第１端部および第２端部を有し、上記溝の上記第１端部は、上記ポンプ室に直結されており、上記溝の上記第２端部は、上記容器に直結されており、これにより、上記ポンプ室における上記インクの一部を、上記ポンプ室から移動させることができ、上記ポンプ室の外側の上記可動部材の上記部分を滑らかにし、上記容器に戻す、上記溝とを含んでいる、プリンタのインクを移動させるためのポンプシステム。
【請求項２】
上記ポンプ室に位置付けられた上記可動部材の上記第１部分は、歯を有する第１歯車であり、上記ポンプ室の外側に位置付けられた上記可動部材の第２部分は、軸であって、上記歯車から、上記軸を回転させるために上記軸を電動器に効果的に接続することができる位置に伸びる上記軸であり、上記ポンプはさらに、
上記ポンプ室内に位置付けられた第２歯車であって、上記第２歯車は、電動器によって回転する上記軸に応じて上記第２歯車を回転させることができる上記第１歯車において上記歯と互いにかみ合う歯を有する、第２歯車を含んでいる、請求項１に記載のシステム。
【請求項３】
さらに、上記溝は、軸受部内に位置付けられており、上記軸受部は、上記ポンプ室から、上記容器の床面よりも上にある上記容器内の位置まで伸びている、請求項１に記載のシステム。
【請求項４】
さらに、
上記可動部材に効果的に接続されている双方向アクチュエータと、
上記双方向アクチュエータに効果的に接続されている制御装置であって、上記可動部材および上記ポンプインクを、上記ポンプ室の上記注入口から上記ポンプ室の上記放出口に、または、上記ポンプ室の上記放出口から上記ポンプ室の上記注入口に移動するために、上記双方向アクチュエータを操作するように構成されている、上記制御装置とを含んでいる、請求項１に記載のシステム。
【請求項５】
上記溝を介して移動する上記インクの量は、上記ポンプ室を介して上記可動部材によって移動されるインクの量の約５パーセント未満である、請求項１に記載のシステム。
【請求項６】
上記可動部材は、上記ポンプ室に対して移動する往復部材である、請求項１に記載のシステム。
【請求項７】
さらに、上記溝を介して上記容器に戻るインクを、上記インクが上記ポンプ室に戻る前にろ過する位置において、上記容器に位置付けられたフィルタを含んでいる、請求項１に記載のシステム。
【請求項８】
注入口および放出口を有するポンプ室と、
インクを格納するように構成された容器であって、流体が流れるように上記ポンプ室の上記注入口に接続された放出口を有する、上記容器と、
インクと接するため、および、上記ポンプ室の上記注入口から上記ポンプ室の上記放出口にインクを移動させるために、上記ポンプ室に位置付けられた第１部分、および、上記ポンプ室の外側に位置付けられた第２部分を有する可動部材と、
上記ポンプ室の外側に位置付けられた上記可動部材の部分の周りに構成された、溝であって、上記溝は第１端部および第２端部を有し、上記溝の上記第１端部は、上記ポンプ室に直結されており、上記溝の上記第２端部は、上記容器に直結されており、これにより、上記ポンプ室における上記インクの一部を、上記ポンプ室から移動させることができ、上記ポンプ室の外側の上記可動部材の上記部分を滑らかにし、上記容器に戻す、上記溝と、
流体が流れるように上記容器に連通している第１開口部と、流体が流れるように上記ポンプ室の上記放出口に連通している第２開口部とを有する流体迂回溝、および、
上記流体迂回溝に位置付けられた一方向弁であって、上記ポンプ室の上記放出口から上記ポンプ室を介して上記ポンプ室の上記注入口に移動するインクに応じて、上記容器から上記迂回溝を介して上記ポンプ室の上記放出口にインクを流すことができるように構成された、上記一方向弁、を含んでいる、プリンタのインクを移動させるためのポンプシステム。
【手続補正２】
【補正対象書類名】明細書
【補正対象項目名】００３１
【補正方法】変更
【補正の内容】
【００３１】
ここで開示されたインク供給部および画像装置は、インク供給部の例示的な実施形態にすぎず、様々な他の構成要素および実施形態が想定される。軸４５２は、アクチュエータによって直接駆動されてもよいし、あるいは、１つまたは複数の歯車、ベルト、磁気連結器、または同様のものを介して間接的に駆動されてもよい。歯車４３２および軸４５２を含む上記可動部材を歯車ポンプとして示しているが、往復ポンプまたは他の回転ポンプを含む様々なポンプの実施形態が、上述のインク供給部と共に操作するように適応されてもよい。他のポンプ実施形態における可動部材が、図４に示したように上記ポンプ室を介してインクを移動させるために、上記溝および上記ポンプ室内で往復してもよい。軸受部４３６は、十分に円形の断面を有する溝を有するジャーナル軸受部であってもよいし、あるいは、長方形の形状といった同じまたは他の形状をした断面を有するリニア軸受部であってもよい。軸受部４３６はさらに、圧力ダム、軸受け筒、軸受パッド、または、当業界に公知の他の軸受部の設計の特徴といった付加的な特徴を含んでいてもよい。図４に示した流量制限器は、付加的なまたはより少ない構成要素を含んでいてもよい。例えば、ポンプ室の放出口４２４での抵抗が別の実施形態において比較的低い場合、迂回溝４６４を省略してもよい。他のインク供給部が、順方向動作モードで用いるため、上記ポンプ室と共に統合された付加的な流量制限器を含んでいてもよい。さらに、流量制限器の様々な実施形態を、図４に示した実施形態の変わりに、あるいは、上記実施形態に加えて用いてもよい。なお、以下に、付記として本発明の構成の一例を示す。
（付記１）
注入口および放出口を有するポンプ室と、
インクを格納するように構成された容器であって、流体が流れるように上記ポンプ室の上記注入口に接続された放出口を有する、上記容器と、
インクと接するため、および、上記ポンプ室の上記注入口から上記ポンプ室の上記放出口にインクを移動させるために、上記ポンプ室に位置付けられた第１部分、および、上記ポンプ室の外側に位置付けられた第２部分を有する可動部材と、および
上記ポンプ室の外側に位置付けられた上記可動部材の部分の周りに構成された、溝であって、上記溝は第１端部および第２端部を有し、上記溝の上記第１端部は、上記ポンプ室に直結されており、上記溝の上記第２端部は、上記容器に直結されており、これにより、上記ポンプ室における上記インクの一部を、上記ポンプ室から移動させることができ、上記ポンプ室の外側の上記可動部材の上記部分を滑らかにし、上記容器に戻す、上記溝とを含んでいる、プリンタのインクを移動させるためのポンプシステム。
（付記２）
上記ポンプ室に位置付けられた上記可動部材の上記第１部分は、歯を有する第１歯車であり、上記ポンプ室の外側に位置付けられた上記可動部材の第２部分は、軸であって、上記歯車から、上記軸を回転させるために上記軸を電動器に効果的に接続することができる位置に伸びる上記軸であり、上記ポンプはさらに、
上記ポンプ室内に位置付けられた第２歯車であって、上記第２歯車は、電動器によって回転する上記軸に応じて上記第２歯車を回転させることができる上記第１歯車において上記歯と互いにかみ合う歯を有する、第２歯車を含んでいる、付記１に記載のシステム。
（付記３）
さらに、上記溝は、軸受部内に位置付けられており、上記軸受部は、上記ポンプ室から、上記容器の床面よりも上にある上記容器内の位置まで伸びている、付記１に記載のシステム。
（付記４）
さらに、
上記可動部材に効果的に接続されている双方向アクチュエータと、
上記双方向アクチュエータに効果的に接続されている制御装置であって、上記可動部材および上記ポンプインクを、上記ポンプ室の上記注入口から上記ポンプ室の上記放出口に、または、上記ポンプ室の上記放出口から上記ポンプ室の上記注入口に移動するために、上記双方向アクチュエータを操作するように構成されている、上記制御装置とを含んでいる、付記１に記載のシステム。
（付記５）
さらに、
上記ポンプ室の上記注入口と上記容器との間に効果的に接続され、上記容器から上記注入口を介して上記ポンプ室にインクを流すことができるように構成され、上記ポンプ室から上記インク容器へのインクの流れを妨げるように構成された、第１一方向弁と、
上記ポンプ室と上記容器との間に効果的に接続され、上記ポンプ室から上記容器にインクを流すことができるように構成され、上記インク容器から上記ポンプ室へのインクの流れを妨げるように構成された、第２一方向弁とを含んでいる、付記１に記載のシステム。
（付記６）
さらに、
流体が流れるように上記容器に連通している第１開口部と、流体が流れるように上記ポンプ室の上記放出口に連通している第２開口部とを有する流体迂回溝、および、
上記流体迂回溝に位置付けられた一方向弁であって、上記ポンプ室の上記放出口から上記ポンプ室を介して上記ポンプ室の上記注入口に移動するインクに応じて、上記容器から上記迂回溝を介して上記ポンプ室の上記放出口にインクを流すことができるように構成された、上記一方向弁、を含んでいる、付記１に記載のシステム。
（付記７）
上記溝を介して移動する上記インクの量は、上記ポンプ室を介して上記可動部材によって移動されるインクの量の約５パーセント未満である、付記１に記載のシステム。
（付記８）
上記可動部材は、上記ポンプ室に対して移動する往復部材である、付記１に記載のシステム。
（付記９）
さらに、上記溝を介して上記容器に戻るインクを、上記インクが上記ポンプ室に戻る前にろ過する位置において、上記容器に位置付けられたフィルタを含んでいる、付記１に記載のシステム。
（付記１０）
液体インクを格納するように構成されたインク容器であって、上記インク容器は放出口を含んだ、インク容器と、
注入口と放出口とを有するポンプ室であって、上記ポンプ室の上記注入口は、流体が流れるように上記容器の上記放出口に連結されている、上記ポンプ室と、
上記ポンプ室に配置され、上記ポンプ室を介してインクを移動するように構成された、可動部材と、
上記ポンプ室に効果的に接続された第１端部と、上記インク容器の床面より上の位置で終端する第２端部とを有する軸受部であって、上記軸受部は、上記ポンプ室と上記軸受部の上記第２端部との間で溝を形成している、上記軸受部と、および
上記軸受部の上記溝に位置付けられた駆動軸であって、上記ポンプ室を介してインクを移動させ、上記ポンプ室の上記インクの一部を、間隙部に、および、上記間隙部を介して上記駆動軸と上記軸受部との間に形成された上記溝に移動させるために、上記ポンプ室に上記可動部材を移動するために上記駆動軸が上記可動部材に効果的に接続されている、上記駆動軸とを含んでいる、インクポンプシステム。